(57)【特許請求の範囲】
【請求項１】
引き戸等の建具の装着凹部に取付けられる戸車であって、戸車本体の幅方向又は長さ方向に対して進退自在な可動部材を設けており、当該可動部材は、装着凹部の壁面に対する押圧手段により壁面方向へ付勢されており、上記可動部材は、左右対称形状の２枚の部材からなり、両者の一端をピンで同軸に軸支し、他端を進退自在に形成しており、それぞれの部材には、ピンに対して傾斜角を付したリンク孔を形成していると共に、双方の他端を互いの離反方向に進退自在に設けており、上記押圧手段は戸車本体を装着凹部へ挿入する動作に併せて作動可能に構成し、押圧手段に上記可動部材のリンク孔に遊嵌させたピンを取付け、さらに、移動方向に長く形成したスライド孔を設けて、このスライド孔に上記可動部材を同軸に軸支したピンを遊嵌させてあり、戸車本体を装着凹部へ挿入すると、可動部材の他端が装着凹部内の壁面を押圧して戸車本体を固定させることを特徴とする戸車。
【発明の詳細な説明】
【０００１】
【発明の属する技術分野】
この発明は、引き戸等の建具に設けられた戸車装着用の装着凹部に戸車を装着する際、装着凹部内の正しい位置に簡単に取付けることができる戸車に関する。
【０００２】
【従来の技術及び発明が解決しようとする課題】
引き戸等の建具に装着する戸車は、建具の上框又は下框に設けられた戸車装着用の凹部に収容され固定されるものである。この装着凹部は、戸車を余裕を持って挿入することができるようにするため、戸車の外形寸法よりやや大きめに形成されるものであり、この装着凹部に戸車を挿入し、しかる後固定用ネジで戸車を固定するものである。
【０００３】
しかしながら、上記装着凹部は、戸車の外形寸法よりやや大きめに形成されるため、戸車を所定の位置に正確に取り付けるためには、位置決めのために熟練が必要であるという問題点があった。
特にアルミ製の引き戸（アルミサッシ）の場合では、上框や下框の強度を強くするため、装着凹部の端部にリブが設けられているため、装着凹部は入り口が狭く、内部が広くなった形状となっている。したがって、このような装着凹部に取り付ける場合には、戸車の位置決めがより困難であるという問題点があった。
【０００４】
そこで、この発明は、引き戸に形成された取付用の装着凹部に対して、正確な位置に簡単に取付けができる戸車を提供することを目的としている。
【０００５】
【課題を解決するための手段及び発明の効果】
上記目的を達成するため、この発明の戸車は、引き戸等の建具の装着凹部に取付けられる戸車であって、戸車本体の幅方向又は長さ方向に対して進退自在な可動部材を設けており、当該可動部材は、装着凹部の壁面に対する押圧手段により壁面方向へ付勢されており、上記可動部材は、左右対称形状の２枚の部材からなり、両者の一端をピンで同軸に軸支し、他端を進退自在に形成しており、それぞれの部材には、ピンに対して傾斜角を付したリンク孔を形成していると共に、双方の他端を互いの離反方向に進退自在に設けており、上記押圧手段は戸車本体を装着凹部へ挿入する動作に併せて作動可能に構成し、押圧手段に上記可動部材のリンク孔に遊嵌させたピンを取付け、さらに、移動方向に長く形成したスライド孔を設けて、このスライド孔に上記可動部材を同軸に軸支したピンを遊嵌させてあり、戸車本体を装着凹部へ挿入すると、可動部材の他端が装着凹部内の壁面を押圧して戸車本体を固定させることを特徴としている。
上記構成の戸車によれば、可動部材が装着凹部の壁面に対する押圧手段によって壁面方向へ付勢されているので、戸車本体の幅方向又は長さ方向に進退自在に構成された可動部材は、戸車本体を装着凹部へ挿入する動作に併せて作動するので、戸車本体を装着凹部内に装着するだけで、装着凹部内の所定位置に位置決めすることができる。
【０００６】
【発明の実施の形態】
次いで、この発明の実施の態様を図面を参照して説明する。図１はこの発明の実施態様の戸車の正面図、図２及び図３は、上記戸車の要部の側面図、図４(a)(b)(c)は要部の分解図である。
戸車１は、引き戸の装着凹部内に装着する戸車本体１０と、戸車本体１０内に設けられた戸車２０と、戸車本体１０の側部に設けられた位置決め手段３０とから構成されている。
【０００７】
戸車本体１０は、戸車２０を支持する枠体１１と、正面視クランク状に形成された取付部材１２と、枠体１１と取付部材１２との間に設けられ、両者の相対位置を変更して、戸車２０の位置を調節するための調整ネジ１３とから構成されている。
取付部材１２は、一端１２ａが枠体１１の外部に突出して、装着凹部に固定される取付座となっており、他端１２ｂは枠体１１内に導入されていると共に、上記調整ネジ１３に螺合している。そして、調整ネジ１３の先端は、枠体１１に固定された受け部１４に当接しており、調整ネジ１３を回動させることによって、取付部材１２の内側端部１２ｂをネジ１３の軸方向に移動させることができる。
したがって、調整ネジ１３を半時計方向に回動させることによって、取付部材１２の端部１２ｂを受け部１４に近接する方向に移動させることができ、この結果、取付部材１２の端部１２ｂと受け部１４との距離が短くなるので、枠体１１を図１の下方へ移動させることができ、戸車２０の位置を調節することができる。
【０００８】
位置決め手段３０は、この実施形態ではボックス状に形成され、上記取付部材１２の端部１２ａに重なる状態に設けられており、中央に形成された取付孔３０ａ内の固定ネジ１６によって、取付部材１２の端部１２ａと共に装着凹部の底部に締め付けることによって、戸車１を固定することができるものである。
そして、位置決め手段３０としては、図４にも示すように、戸車本体１０の幅方向に対して進退自在な可動部材３１を設け、突出時には装着凹部の側壁を押圧可能に形成しており、さらに、作動部材３３に連結されている。作動部材３３は、戸車本体１０を装着凹部に挿入する動作に併せて後退することができるものであり、この実施形態では、板状体にて構成している。作動部材３３には、中央にリンク用のピン３４が取付けられており、ピン３４は作動部材３３と一体に移動する。また、作動部材３３には、移動方向に長くしたスライド孔３３ａが形成されている。
【０００９】
可動部材３１は、ピン３５によって一端部が回動可能に軸支されており、他端３１ａがピン３５を中心に回動することにより、装着凹部を押圧するための突出端部に形成されている。また、この可動部材３１には、上記ピン３５に対して傾斜角を付したリンク孔３１ｃが形成されている。このリンク孔３１ｃには、作動部材３３に取付けられた上記ピン３４が遊嵌されている。
尚、可動部材３１は、左右対称形状のものが２枚用いられていると共に、２つの可動部材３１は一本のピン３５によって同軸に軸支されて、互いの離反方向に進退自在に構成されている。そして、可動部材３１を軸支する上記ピン３５は、作動部材３３のスライド孔３３ａに遊嵌されて、作動部材３３の移動方向がずれないようにサポートしている。
【００１０】
この位置決め手段３０は、作動部材３３が、スライド孔３３ａに沿って後退すると、中央のピン３５が、可動部材３１のリンク孔３１ｃを移動することとなる。可動部材３１は、ピン３５に軸支されていると共に、リンク孔３１ｃに傾斜角が付与されているので、上記ピン３５がリンク孔３１ｃを移動することによって、可動部材３１はピン３５を中心として端部３１ａが突出する方向に回動する。この端部３１ａの突出方向は、装着凹部の壁面を押圧する方向と一致していると共に、２つの可動部材３１は、対称形状となるように装着されているので、それぞれの可動部材３１によって装着凹部の対向面を同時に押圧することができる。
【００１１】
したがって、当該戸車１を引き戸等の装着凹部内に挿入することによって、装着凹部の底面に当たって作動部材３３が後退することによって、作動部材３３のピン３４が可動部材３１のリンク孔３１ｃを移動して、当該可動部材３１の端部３１ａをそれぞれ進出させて、装着凹部の両壁面を押圧することとなる。このため、この戸車１は、装着凹部の幅方向中央の所定位置に位置決めされることとなり、この状態で、戸車１を固定することによって、装着凹部内の正しい位置に簡単に取り付けることができるものである。
【００１２】
なお、装着前において作動部材３３が突出した状態を保持するために、バネを設けて、作動部材３３を突出方向へ付勢しておくこともできる。
【００１３】
上記実施の形態において、可動部材３１を戸車本体１０の幅方向に突出可能に形成した例を示したが、可動部材３１を戸車本体１０の長手方向に設けることができる。この場合には、装着凹部の長手方向に対する位置決めを簡単に行うことができるものである。
【００１４】
尚、上記実施の形態では、引き戸の下框に装着する例を示したが、上框に装着する際にも同様に用いることができる。
引き戸としては、木製、アルミ製、その他の金属製等、戸車を装着する引き戸であって、装着凹部を形成する構成のものであれば、当該戸車を装着することができるものである。
【図面の簡単な説明】
【図１】  この発明の実施の態様を示す戸車の正面図である。
【図２】  上記戸車の要部の側面図である。
【図３】  上記戸車の要部の側面図である。
【図４】  (a)(b)(c)はそれぞれ要部の分解図である。
【符号の説明】
１        戸車
１０      戸車本体
３１      可動部材
３３      作動部材
【図１】
0003898900.tif 000002
【図２】
0003898900.tif 000003
【図３】
0003898900.tif 000004
【図４】
0003898900.tif 000005